(57)【要約】【課題】カラーチャートを再印刷する回数を極力減らし、色見本と比較観察するカラーパッチの個数を極力減らすことができる色選択方法、画像処理方法、画像処理装置及びプログラムを提供する。【解決手段】指定色の色値を入力し、入力された前記指定色を指定色調整用カラーチャート３４ｃの印刷色として再現させる際の変動範囲を予測し、予測された前記変動範囲に基づいてカラーパッチ３６の個数又はカラーパッチ３６の色間隔を決定する。【選択図】図１０
2011114717.tif 000002
【特許請求の範囲】
【請求項１】
基準色又はその近傍色からなる複数のカラーパッチを備えるカラーチャートを印刷機により印刷し、前記カラーチャートの中から指定色に最も近い色のカラーパッチを選択する色選択方法であって、
前記指定色の色値を入力する入力ステップと、
入力された前記指定色を前記カラーチャートの印刷色として再現させる際の変動範囲を予測する予測ステップと、
予測された前記変動範囲に基づいて前記カラーパッチの個数又は前記カラーパッチの色間隔を決定する決定ステップと
を備えることを特徴とする色選択方法。
【請求項２】
請求項１記載の色選択方法であって、
前記予測ステップは、前記指定色の入力方法の種類に基づいて前記変動範囲を予測する
ことを特徴とする色選択方法。
【請求項３】
請求項１又は２に記載の色選択方法であって、
前記指定色についての前記印刷機のガマットの属否を判定する判定ステップを備え、
前記予測ステップは、判定された前記ガマットの属否に基づいて前記変動範囲を予測する
ことを特徴とする色選択方法。
【請求項４】
請求項１〜３のいずれか１項に記載の色選択方法であって、
前記予測ステップは、前記印刷機のプロファイルの種類に基づいて前記変動範囲を予測する
ことを特徴とする色選択方法。
【請求項５】
請求項１〜４のいずれか１項に記載の色選択方法であって、
前記予測ステップは、前記個数に関する前記変動範囲と前記色間隔に関する前記変動範囲とをそれぞれ独立に予測する
ことを特徴とする色選択方法。
【請求項６】
請求項１〜５のいずれか１項に記載の色選択方法であって、
前記決定ステップは、作業者の熟練度に応じて前記個数又は前記色間隔を決定する方法を変更する
ことを特徴とする色選択方法。
【請求項７】
請求項１〜６のいずれか１項に記載の色選択方法により選択されたカラーパッチの色値を第１の色値として取得するステップと、
前記指定色の色値を第２の色値として取得するステップと、
取得された第１及び第２の色値に基づいて前記印刷機のプロファイルを補正するステップと
を備えることを特徴とする画像処理方法。
【請求項８】
請求項１〜６のいずれか１項に記載の色選択方法により選択されたカラーパッチの色値を目標プロファイルに基づいてデバイス依存データに変換するステップと、
電子原稿の色値を補正するために前記色値又は前記デバイス依存データを表示するステップと
を備えることを特徴とする画像処理方法。
【請求項９】
請求項１〜６のいずれか１項に記載の色選択方法により選択されたカラーパッチの色値を第１の色値として取得し、前記指定色の色値を第２の色値として取得し、前記第１及び第２の色値に基づいて前記印刷機のプロファイルを補正するプロファイル補正部を有する
ことを特徴とする画像処理装置。
【請求項１０】
請求項１〜６のいずれか１項に記載の色選択方法により選択されたカラーパッチの色値を目標プロファイルに基づいてデバイス依存データに変換し、電子原稿の色値を補正するために前記色値又は前記デバイス依存データを表示する表示部を有する
ことを特徴とする画像処理装置。
【請求項１１】
コンピュータを、
指定色の色値を入力する手段、
前記指定色の色値に基づいて基準色を設定する手段、
入力された前記指定色をカラーチャートの印刷色として再現させる際の変動範囲を予測する手段、
予測された前記変動範囲に基づいてカラーパッチの個数又は色間隔を決定する手段、
設定された前記基準色と決定された前記個数又は前記色間隔とに基づいて、複数のカラーパッチを備える前記カラーチャートの画像データを生成する手段、
前記画像データに基づいて前記カラーチャートを印刷させる手段
として機能させるためのプログラム。
【発明の詳細な説明】
【技術分野】
【０００１】
本発明は、基準色又はその近傍色からなる複数のカラーパッチを備えるカラーチャートを印刷機により印刷し、前記カラーチャートの中から指定色に最も近い色のカラーパッチを選択する色選択方法、画像処理方法、画像処理装置及びプログラムに関する。
【背景技術】
【０００２】
近年のインクジェット技術の飛躍的進歩に伴い、インクジェット方式の印刷機による高速・高画質を両立したカラー大判印刷が可能になりつつある。この印刷機は、個人的・家庭的用途だけでなく、最近では、特に商業用途において幅広い分野で用いられている。この印刷機を用いることにより、例えば、店頭ＰＯＰ（Ｐｏｉｎｔ  ｏｆ  Ｐｕｒｃｈａｓｅ）や壁面ポスターのみならず、屋外広告・看板等の大サイズメディア、ロールメディア、厚手の硬質メディアに対しても印刷が可能である。
【０００３】
このような多様な商業的需要に応えるため、印刷に用いられる印刷媒体（以下「メディア」という場合がある。）も多種多彩である。例えば、合成紙・厚紙・アルミ蒸着紙等の紙類、塩化ビニル・ＰＥＴ等の樹脂、繊維織物の両面に合成樹脂フイルムを貼り合わせたターポリン等が用いられる。
【０００４】
広告印刷には需要者の視覚を通じてその購買意欲を喚起させる効果が期待されることから、印刷物（印刷された印刷媒体）の色の仕上がりは特に重要である。従来から、印刷物の色管理手段として、ＩＣＣ（Ｉｎｔｅｒｎａｔｉｏｎａｌ  Ｃｏｌｏｒ  Ｃｏｎｓｏｒｔｉｕｍ）プロファイルの作成方法や、指定色の調整方法等の様々なカラーマッチング技術が多数開示されている。これらのカラーマッチング技術は、インクジェット方式の印刷機に限られず、電子写真、感熱方式等を含むデジタルプリンタ全般及びその周辺機器に横断的に適用できるものである。
【０００５】
上述の「指定色の調整方法」とは、画像全体のカラーバランスを維持しつつ、カラーチップの色見本等により指定された色（指定色）と略一致するように前記画像の注目部分の色を微調整する方法である。すなわち、指定色の調整方法は、基準色又はその近傍色からなる複数のカラーパッチを備えるカラーチャートを印刷し、前記カラーチャートの中から指定色に最も近い色のカラーパッチを選択する色選択工程と、この色の選択結果に基づいて印刷色を調整する色調整工程とから基本的に構成される。
【０００６】
例えば、特許文献１には、表示装置上に表示した指定色と、印刷機から印刷される色との色感を一致させるための方法が開示されている。具体的には、表示装置上に表示色の変更が自在な表示窓と、表示された指定色に近いと考えられて印刷された２７色のカラーチャートが開示されている（特許文献１の図４及び図５参照）。
【０００７】
このように構成されているので、作業者は、指定色が前記表示窓に表示されるように設定し、印刷機からカラーチャートが印刷されるように印刷ボタンを押し、このカラーチャートの２７色の中から指定色に最も近い色を選択し、その色の番号を画面を介して入力することにより、表示装置上に表示した指定色と、印刷機から印刷される色との色感を厳密に近似させることができる旨が記載されている。
【先行技術文献】
【特許文献】
【０００８】
【特許文献１】特開２０００−２１７００７号公報
【発明の概要】
【発明が解決しようとする課題】
【０００９】
ところで、上述の色選択工程では、指定色との一致感が得られる色が選択されるまで、カラーチャートの印刷及び視認作業を何度も繰り返すことがある。したがって、最初に印刷されるカラーチャートの設定条件により、色の最終選択までに要する作業工数の多少に影響を与える。そこで、次に示す経験則等を考慮することにより、カラーチャートを印刷する回数を極力減らし、色見本と比較観察するカラーパッチの個数を極力減らすことができる。
【００１０】
先ず、基準色の初期値が指定色に近いほど、最適な色を早期に選択できる可能性が高くなる。また、カラーチャートの印刷に用いる印刷機及びメディアに適したプロファイルを用いると、カラーチャートの色再現精度が高くなり、それだけ最適な色を早期に選択できる可能性が高くなる。
【００１１】
さらに、カラーパッチの色間隔が大きいほど、あるいはカラーパッチの個数が多いほど、１枚のカラーチャート上に表現される色の提示範囲が拡大されるので、カラーチャート上に最適な色が存在する可能性が高くなる。特に、指定色が印刷機のガマットの範囲外の色であり、その代替色として最適な色をガマットの範囲内の色の中から選択しなければならない場合には、色の提示範囲を拡大することで作業者にとって選択の幅を広くする方が好ましい場合もある。
【００１２】
しかしながら、特許文献１に開示された方法等において上記の傾向に関して一切考慮されておらず、最適な色を早期に選択できる構成を採っているとはいえない。その結果、カラーチャートの再印刷及び視認作業を何度か繰り返すことになり、色の選択作業が効率的でない場合がある。
【００１３】
本発明は上記した問題を解決するためになされたもので、カラーチャートを再印刷する回数を極力減らし、色見本と比較観察するカラーパッチの個数を極力減らすことができる色選択方法、画像処理方法、画像処理装置及びプログラムを提供することを目的とする。
【課題を解決するための手段】
【００１４】
本発明は、基準色又はその近傍色からなる複数のカラーパッチを備えるカラーチャートを印刷機により印刷し、前記カラーチャートの中から指定色に最も近い色のカラーパッチを選択する色選択方法に関する。
【００１５】
そして、前記指定色の色値を入力する入力ステップと、入力された前記指定色を前記カラーチャートの印刷色として再現させる際の変動範囲を予測する予測ステップと、予測された前記変動範囲に基づいて前記カラーパッチの個数又は前記カラーパッチの色間隔を決定する決定ステップとを備える。
【００１６】
このように、入力された指定色をカラーチャートの色として再現させる際の変動範囲を予測するようにしたので、入力された指定色の特徴に応じた適切なカラーパッチの個数又は色間隔を決定可能であり、カラーチャートを再印刷する回数を極力減らし、色見本と比較観察するカラーパッチの個数を極力減らすことができる。
【００１７】
また、前記予測ステップは、前記指定色の入力方法の種類に基づいて前記変動範囲を予測することが好ましい。これにより、指定色の入力精度を把握可能であり、前記入力精度に応じた適切なカラーパッチの個数又は色間隔が決定できる。
【００１８】
さらに、前記指定色についての前記印刷機のガマットの属否を判定する判定ステップを備え、前記予測ステップは、判定された前記ガマットの属否に基づいて前記変動範囲を予測することが好ましい。これにより、指定色からガマット範囲内の色への置換要否を把握可能であり、前記置換要否に応じた適切なカラーパッチの個数又は色間隔が決定できる。
【００１９】
さらに、前記予測ステップは、前記印刷機のプロファイルの種類に基づいて前記変動範囲を予測することが好ましい。これにより、印刷プロファイルによる色再現精度を把握可能であり、前記色再現精度に応じた適切なカラーパッチの個数又は色間隔が決定できる。
【００２０】
さらに、前記予測ステップは、前記個数に関する前記変動範囲と前記色間隔に関する前記変動範囲とをそれぞれ独立に予測することが好ましい。
【００２１】
さらに、前記決定ステップは、作業者の熟練度に応じて前記個数又は前記色間隔を決定する方法を変更することが好ましい。
【００２２】
本発明に係る画像処理方法は、上記の色選択方法により選択されたカラーパッチの色値を第１の色値として取得するステップと、前記指定色の色値を第２の色値として取得するステップと、取得された第１及び第２の色値に基づいて前記印刷機のプロファイルを補正するステップとを備えることを特徴とする。
【００２３】
本発明に係る画像処理方法は、上記の色選択方法により選択されたカラーパッチの色値を目標プロファイルに基づいてデバイス依存データに変換するステップと、電子原稿の色値を補正するために前記色値又は前記デバイス依存データを表示するステップとを備えることを特徴とする。
【００２４】
本発明に係る画像処理装置は、上記の色選択方法により選択されたカラーパッチの色値を第１の色値として取得し、前記指定色の色値を第２の色値として取得し、前記第１及び第２の色値に基づいて前記印刷機のプロファイルを補正するプロファイル補正部を有することを特徴とする。
【００２５】
本発明に係る画像処理装置は、上記の色選択方法により選択されたカラーパッチの色値を目標プロファイルに基づいてデバイス依存データに変換し、電子原稿の色値を補正するために前記色値又は前記デバイス依存データを表示する表示部を有することを特徴とする。
【００２６】
本発明に係るプログラムは、コンピュータを、指定色の色値を入力する手段、
前記指定色の色値に基づいて基準色を設定する手段、入力された前記指定色をカラーチャートの印刷色として再現させる際の変動範囲を予測する手段、予測された前記変動範囲に基づいてカラーパッチの個数又は色間隔を決定する手段、設定された前記基準色と決定された前記個数又は前記色間隔とに基づいて、複数のカラーパッチを備える前記カラーチャートの画像データを生成する手段、前記画像データに基づいて前記カラーチャートを印刷させる手段として機能させる。
【発明の効果】
【００２７】
本発明に係る色選択方法、画像処理方法、画像処理装置及びプログラムによれば、指定色の色値を入力し、入力された前記指定色をカラーチャートの印刷色として再現させる際の変動範囲を予測し、予測された前記変動範囲に基づいて前記カラーパッチの個数又は前記カラーパッチの色間隔を決定するようにしたので、入力された指定色の特徴に応じた適切なカラーパッチの個数又は色間隔を決定可能であり、カラーチャートを再印刷する回数を極力減らし、色見本と比較観察するカラーパッチの個数を極力減らすことができる。
【図面の簡単な説明】
【００２８】
【図１】本実施の形態に係る画像処理装置が組み込まれた印刷システムの斜視説明図である。
【図２】本実施の形態に係る指定色調整用カラーチャートの概略正面図である。
【図３】本実施の形態に係る画像処理装置の機能ブロック図である。
【図４】本実施の形態に係る指定色の入力のための設定画面の例を示す図である。
【図５】本実施の形態に係る指定色の調整のための第一の設定画面の例を示す図である。
【図６】本実施の形態に係る指定色の調整のための第二の設定画面の例を示す図である。
【図７】本実施の形態に係る指定色の調整のための第三の設定画面の例を示す図である。
【図８】本実施の形態に係る印刷システムを用いて適切な印刷物を得るためのフローチャートである。
【図９】本実施の形態に係る指定色調整用カラーチャートを用いた指定色の調整方法に関するフローチャートである。
【図１０】指定色調整用カラーチャート上のカラーパッチの個数及び色間隔の決定方法に関するフローチャートである。
【図１１】図１１Ａは、各評価項目に対する色再現誤差又は個人差の影響度の得点表である。図１１Ｂは、横軸はガマットまでの距離、縦軸は色再現誤差の影響度を示すグラフである。
【図１２】図１２Ａは、色再現誤差の影響度に対するカラーパッチの個数の対応表である。図１２Ｂは、個人差の影響度に対するカラーパッチの色間隔の対応表である。
【図１３】図１３Ａは、色再現誤差の影響度に対するカラーパッチの個数及び色間隔の対応表の第１変形例である。図１３Ｂは、色再現誤差の影響度に対するカラーパッチの個数及び色間隔の対応表の第２変形例である。
【図１４】指定色調整用カラーチャートにおける各カラーパッチの色の設計値の一例を表す図である。
【図１５】図１５Ａ及び図１５Ｂは、図６に示すポインタにより所定の色が選択されたときのマトリクス画像の一部拡大概略図である。
【発明を実施するための形態】
【００２９】
以下、本発明に係る色選択方法についてそれを実施する画像処理装置並びに印刷システムとの関係において好適な実施形態を挙げ、添付の図面を参照しながら詳細に説明する。
【００３０】
図１は、本実施の形態に係る画像処理装置１６が組み込まれた印刷システム１０の斜視説明図である。
【００３１】
印刷システム１０は、ＬＡＮ１２と、編集装置１４と、画像処理装置１６と、印刷機１８と、測色計２０とを基本的に備える。
【００３２】
ＬＡＮ１２は、イーサネット（登録商標）等の通信規格に基づいて構築されているネットワークである。編集装置１４と、画像処理装置１６と、データベースＤＢとは、ＬＡＮ１２を介して有線又は無線により相互に接続されている。
【００３３】
編集装置１４は、文字、図形、絵柄や写真等から構成されるカラー画像の配置をページ毎に編集が自在であり、ページ記述言語（以下、ＰＤＬという。）による電子原稿、例えば、４色（ＣＭＹＫ）や３色（ＲＧＢ）のカラーチャンネルからなる８ビット画像データを生成する。
【００３４】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００３５】
また、編集装置１４には図示しないカラースキャナが接続されており、該カラースキャナは、所定の位置にセットされたカラー原稿を光学的に読み取ることで、前記電子原稿の構成要素となるカラー画像データを取得可能である。
【００３６】
画像処理装置１６は、ＰＤＬによる電子原稿をビットマップ形式（ラスタ画像の一種）に展開し、所望の画像処理、例えば、色変換処理、画像拡縮処理や配置処理等を行い、印刷機１８の印刷方式に適した印刷信号に変換し、前記印刷機１８に前記印刷信号を送信する各機能を有している。
【００３７】
また、画像処理装置１６は、ＣＰＵ・メモリ等を有する本体２２と、カラー画像を表示する表示装置２４と、入力部としての入力装置２６（キーボード２８及びマウス３０）を備えており、さらに測色計２０が接続されている。
【００３８】
印刷機１８は、Ｃ、Ｍ、Ｙ、Ｋの各色（プロセスカラー）からなる標準インクと、ＬＣ、ＬＭ等の淡色やＷ（白色）等のオプションインクとを組み合わせてカラー画像を形成するインクジェット方式の印刷装置である。この印刷機１８は、外部（例えば、画像処理装置１６）から受信した印刷信号に基づいて各色のインクの射出制御を行うことにより、印刷媒体としてのメディア３２（図１では、ロール状の未印刷のメディア３２）上にカラー画像を印刷し、印刷物３４（指定色調整用カラーチャート３４ｃが含まれる。）を形成する。
【００３９】
メディア３２の基材には、合成紙・厚紙・アルミ蒸着紙等の紙類、塩化ビニル・ＰＥＴ等の樹脂やターポリン等を用いることができる。
【００４０】
測色計２０は、測定対象物の色値を測定する。ここで色値とは、三刺激値ＸＹＺ、均等色空間の座標値Ｌ*ａ*ｂ*等のみならず、波長に対する光学物理値の特性、例えば、分光放射分布、分光感度分布、分光反射率又は分光透過率が含まれる。
【００４１】
図２は、指定色調整用カラーチャート３４ｃの概略正面図である。
【００４２】
指定色調整用カラーチャート３４ｃは、メディア３２上に印刷された、色の異なる２７個の略同形状のカラーパッチ３６と、該カラーパッチ３６の行方向及び列方向の配列位置を特定する行番号３８及び列番号４０と、前記指定色調整用カラーチャート３４ｃの印刷条件を識別する情報からなる印刷情報４２とから構成される。
【００４３】
各カラーパッチ３６は、メディア３２の左側部、中央部及び右側部に、縦方向及び横方向に３個ずつ、所定間隔の隙間を設けるように配置されている。各カラーパッチ３６の色は、ＣＭＹＫ値の各信号レベルの範囲（百分率では０％〜１００％、８ビット階調である場合は０〜２５５）の所定の値が設定されている。
【００４４】
識別情報としての行番号３８は上から順番に（１）、（０）、（−１）からなり、それぞれ各カラーパッチ３６の左方部にその位置に対応するように設けられている。一方、識別情報としての列番号４０は、左から順番に（１’）、…、（−１”）からなり、各カラーパッチ３６の上方部にその位置に対応するように設けられている。
【００４５】
印刷情報４２には、印刷機１８の機種、シリアル番号若しくは登録名、後述する印刷モード、メディア３２の種類、印刷日時等が印刷されている。
【００４６】
図３は、本実施の形態に係る画像処理装置１６の機能ブロック図である。なお、電子原稿は白抜実線矢印の方向に、カラーチャート用画像データは白抜破線矢印の方向に、その他の各種データは実線矢印の方向にそれぞれ供給されることを表す。
【００４７】
画像処理装置１６の本体２２は、編集装置１４側から供給される電子原稿を入力するＩ／Ｆ５０と、該Ｉ／Ｆ５０を介して供給された電子原稿のＰＤＬ形式をビットマップ形式に展開するＲＩＰ５２（ラスタイメージングプロセッサ）と、該ＲＩＰ５２により展開された電子原稿のＣＭＹＫ値（あるいはＲＧＢ値）に対して所定の色変換処理を施して新たなＣＭＹＫ値の画像データを得る色変換処理部５４と、該色変換処理部５４により色変換されて得られた新たなＣＭＹＫ値の画像データを印刷機１８に適した印刷信号（インク射出制御データ）に変換する印刷機ドライバ５６と、該印刷機ドライバ５６により変換された印刷信号を印刷機１８側に出力するＩ／Ｆ５８とを備える。
【００４８】
また、本体２２は、印刷機１８毎にプロファイルを管理する色管理部６０と、指定色調整用カラーチャート３４ｃ又は図示しないプロファイル用カラーチャートを印刷するための画像データを生成する画像データ生成部６２と、表示装置２４との接続を可能とするＩ／Ｆ６４と、入力装置２６（キーボード２８及びマウス３０）との接続を可能とするＩ／Ｆ６６と、測色計２０との接続を可能とするＩ／Ｆ６８とを備える。
【００４９】
さらに、本体２２は、その内部の各構成要素から供給される各種データを記憶し、あるいは記憶する各種データを各構成要素に供給する記憶部７０を備えている。該記憶部７０は、ＲＩＰ５２と、色変換処理部５４と、色管理部６０と、画像データ生成部６２と、Ｉ／Ｆ６４と、Ｉ／Ｆ６６と、Ｉ／Ｆ６８とにそれぞれ接続されている。
【００５０】
なお、色変換処理部５４は、デバイス依存データからデバイス非依存データに変換する目標プロファイル処理部７２と、デバイス非依存データからデバイス依存データに変換するする印刷プロファイル処理部７４とを備える。ここで、デバイス依存データとは、各種デバイスを適切に駆動するためのＣＭＹＫ値、ＲＧＢ値等で定義されるデータである。また、デバイス非依存データとは、ＨＳＬ、ＨＳＢ、ＣＩＥＬＡＢ座標系、ＣＩＥＬＵＶ座標系、ＸＹＺ等の表色系で定義されるデータである。
【００５１】
また、画像データ生成部６２は、指定色調整用カラーチャート３４ｃを印刷するための画像データを生成する指定色調整用データ生成部７６と、図示しないプロファイル用カラーチャートを印刷するための画像データを生成するプロファイル用データ生成部７８と、指定色調整用カラーチャート３４ｃ上の複数のカラーパッチ３６の配設位置を模擬した画像データを生成する模擬データ生成部７９とを備える。
【００５２】
さらに、色管理部６０は、印刷機１８毎にプロファイルを生成するプロファイル生成部８０と、印刷機１８毎に指定色を管理する指定色管理部８２とを備える。
【００５３】
さらにまた、指定色管理部８２は、後述するカラーチャート条件を設定するカラーチャート条件設定部８４と、所定の色が出力デバイス（印刷機１８を含む。）のガマットの範囲内の色か否かを判定するガマット内外判定部８６と、所定のガマットマッピングアルゴリズム（以下、「マッピング方法」という。）に従って第１ガマットを第２ガマットに色変換するマッピング部８８と、前記所定の色を指定色調整用カラーチャート３４ｃの色として再現させる際の変動範囲を予測する変動範囲予測部９０と、指定色調整用カラーチャート３４ｃに配設するカラーパッチ３６の個数を決定するパッチ個数決定部９２と、指定色調整用カラーチャート３４ｃ上のカラーパッチ３６の色間隔を決定する色間隔決定部９４と、表示された指定色調整用カラーチャート３４ｃの模擬画像上の指示座標に対応する色が有する色値を算出する指示色算出部９６とから構成される。
【００５４】
さらに、ＲＩＰ５２は、電子原稿のビットマップ形式化の際に、印刷機１８の解像度等に対応した画像拡縮処理や、印刷フォーマットに対応した回転・反転処理等の種々の画像処理を行うことができる。
【００５５】
さらに、印刷機ドライバ５６は、ＣＭＹＫ値からインク各色（ＣＭＹＫ、ＬＣ、ＬＭ、又はＷ）に対応するインク射出制御用データを作成する。このインク射出制御用データは、印刷機１８のインク射出動作（ＯＮ・ＯＦＦやインクドット径の大小等）との間でその印刷機１８固有のデータ定義に従って関連付けられている。その際、８ビット多階調画像から２値画像等の低階調画像への変換を要するが、ディザマトリクス法や誤差拡散法等の公知のアルゴリズムを用いることができる。
【００５６】
さらに、目標プロファイル処理部７２又は印刷プロファイル処理部７４は、印刷機１８の印刷モードに応じてプロファイルを補正することができる。ここで、印刷モードとは、印刷ヘッドのノズル数、印刷ヘッドの走査時におけるインク射出タイミング（片方向／双方向）、パス数、搭載インク色数及びその種類、インク射出制御用データ作成のアルゴリズム等の、印刷に関する各種設定をいう。
【００５７】
さらに、ＣＰＵ等で構成される制御部（不図示）は、この画像処理に関するすべての制御を行う。すなわち、本体２２内部の各構成要素の制御（例えば、記憶部７０のデータ読出し・書込み）のみならず、Ｉ／Ｆ６４を介して表示装置２４に表示信号を送信する制御や、Ｉ／Ｆ６８を介して測色計２０から測色データを
取得する制御等も含まれる。
【００５８】
本実施の形態の画像処理装置１６は以上のように構成され、上述した各画像処理機能は、基本プログラム（オペレーティングシステム）上で動作する応用プログラムを用いて実現することができる。
【００５９】
図４は、本実施の形態に係る指定色の入力のための設定画面の例を示す図である。
【００６０】
設定画面１００には、左上から右下の方に順番に、６つのラジオボタン１０２ａ〜１０２ｆと、３個のテキストボックス１０４と、３個のテキストボックス１０５と、４個のテキストボックス１０６と、２個のプルダウンメニュー１０７、１０８と、２個のプルダウンメニュー１０９、１１０と、［測色］と表示されたボタン１１２と、カラーホイール１１４と、参照パッチ１１６と、［中止］、［ＯＫ］と表示されたボタン１１８、１２０とが設けられている。
【００６１】
ラジオボタン１０２ａ〜１０２ｆの右方には、「Ｌ*ａ*ｂ*で指定」、「ＲＧＢで指定」、「ＣＭＹＫで指定」、「測色計で測定」、「特色名で指定」、「カラーホイールで指定」とそれぞれ表示されている。
【００６２】
３個のテキストボックス１０４、３個のテキストボックス１０５、４個のテキストボックス１０６には、キーボード２８（図１参照）を用いて数字を含む各種文字の入力が自在である。
【００６３】
プルダウンメニュー１０７は、３個のテキストボックス１０５の右方に設けられており、欄には「ｓＲＧＢ」からなる文字が表示されている。また、プルダウンメニュー１０８は、４個のテキストボックス１０６の右方に設けられており、欄には「ＩＳＯ  ｃｏａｔｅｄ」からなる文字が表示されている。
【００６４】
プルダウンメニュー１０９、１１０は、４個のテキストボックス１０６の下方に設けられており、欄には「測色計の機種名」、「特色名のリスト」からなる文字がそれぞれ表示されている。
【００６５】
カラーホイール１１４は、カラーパレット１２２、丸型ポインタ１２４、カラーバー１２６、三角ポインタ１２８とから構成される。
【００６６】
カラーパレット１２２は矩形状であり、その領域内には連続的に変化する色が表示されている。カラーパレット１２２の左方には「Ｌ」なる文字と上下方向を向く２本の矢印とが、その下方には「Ｃ」なる文字と左右方向を向く２本の矢印とがそれぞれ設けられている。また、カラーパレット１２２の領域内（図４では右上部）には丸型ポインタ１２４が設けられており、その領域内での移動が自在である。
【００６７】
カラーパレット１２２の右方には、上下方向に延在する縦長のカラーバー１２６が設けられている。カラーバー１２６には、その上下方向に連続的に変化する色が表示されている。また、カラーバー１２６の右方には三角ポインタ１２８が設けられており、カラーバー１２６に沿って上下方向に移動が自在である。
【００６８】
カラーホイール１１４の右方に設けられた矩形状の参照パッチ１１６には、丸型ポインタ１２４が指示する色と同一色が表示されている。
【００６９】
図５は、本実施の形態に係る指定色の調整のための第一の設定画面の例を示す図である。
【００７０】
設定画面１３０には、上から順番に、プルダウンメニュー１３２と、表示欄１３４と、上下方向に並設された３個のスピンボタン付テキストボックス１３６と、グラフ１３８と、［中止］、［次へ］と表示されたボタン１４０、１４２が設けられている。
【００７１】
プルダウンメニュー１３２の左方部には「印刷プロファイル」なる文字列が表示されている。表示欄１３４には、上から順番に「ガマット内」、「ガマット境界」及び「ガマット外」からなる欄が設けられており、「ガマット外」の左方別欄には「○」が表示されている。
【００７２】
３個のスピンボタン付テキストボックス１３６は、キーボード２８又はマウス３０（図１参照）の所定の操作により、後述する基準色の色値Ｌ*ａ*ｂ*の値をそれぞれ独立に設定可能である。
【００７３】
グラフ１３８は、Ｌ*ａ*ｂ*空間の所定の断面図（Ｌ*−ａ*平面、ａ*−ｂ*平面、Ｌ*−ｂ*平面のいずれかの座標系）であり、その二次元座標系にはガマットを示す曲線１４４と、白抜き円形でプロットされた指定色１４６ａと、黒塗り円形でプロットされた別の指定色１４６ｂと、白抜き三角形でプロットされた変換色１４８ａと、黒塗り三角形でプロットされた別の変換色１４８ｂとが表示されている。
【００７４】
図６は、本実施の形態に係る指定色の調整のための第二の設定画面の例を示す図である。
【００７５】
設定画面１６０には、上から順番に、パッチ選択画像１６２と、上下方向に並設された３個１組のスピンボタン付テキストボックス１６４、１６６と、［カラーチャート印刷］、［戻る］、［確定］、［中止］と表示されたボタン１６８、１７０、１７２、１７４とが設けられている。
【００７６】
パッチ選択画像１６２は、指定色調整用カラーチャート３４ｃ上の複数のカラーパッチ３６の配設位置を模して構成されており、行番号１７６と、列番号１７８と、マトリクス画像１８０と、［マニュアル設定］と表示されたボタン１８２とを備える。
【００７７】
さらに、マトリクス画像１８０は、太線で示される外枠１８４と、２７個のカラーパッチ１８６と、破線で示される１２本の補助線１８８と、十字形状のポインタ１９０とから構成される。
【００７８】
１２本の補助線１８８は、縦線９本、横線３本から構成されており、各カラーパッチ１８６の中心位置を通るように格子状に設けられている。
【００７９】
２個のスピンボタン付テキストボックス１６４、１６６は、キーボード２８又はマウス３０（図１参照）の所定の操作により、基準色の色値（Ｌ*，ａ*，ｂ*）、色間隔（ΔＬ*，Δａ*，Δｂ*）の値をそれぞれ独立に設定可能である。
【００８０】
図７は、本実施の形態に係る指定色の調整のための第三の設定画面の例を示す図である。
【００８１】
設定画面２００には、上から順番に、パッチ選択画像２０２と、スライダバー２０４、２０６と、３個のラジオボタン２０８と、［戻る］、［設定変更］と表示されたボタン２１０、２１２とが設けられている。
【００８２】
パッチ選択画像２０２は、図６に示すパッチ選択画像１６２と類似した外観構成であり、行番号２１４と、列番号２１５と、マトリクス画像２１６（太線で示される外枠２１８及び破線で示される３０本の補助線２２０）とを備える。なお、３０本の補助線２２０は、縦線２５本、横線５本から構成されており、格子状に設けられている。
【００８３】
スライダバー２０４は、設定画面２００の左右方向に延在するゲージ２２２と、該ゲージ２２２上に左右方向に移動が自在であるスライダ２２４が設けられている。ゲージ２２２左端の左方部には「カラーパッチ個数」なる文字が表示されており、スライダ２２４の下方部には目盛「５」の位置を指向する矢印２２６が表示されている。
【００８４】
スライダバー２０６は、設定画面２００の左右方向に延在するゲージ２２８と、該ゲージ２２８上に左右方向に移動が自在であるスライダ２３０が設けられている。ゲージ２２８左端の左方部には「色間隔」なる文字が表示されており、スライダ２３０の下方部には目盛「中」の位置を指向する矢印２３２が表示されている。
【００８５】
スライダバー２０４の右方に設けられた３個のラジオボタン２０８は、上下方向に並設されている。３個のラジオボタン２０８の上方には「パッチ探索モード」なる文字が付されており、各ラジオボタン２０８の右方には上から順に「初級モード」、「中級モード」、「上級モード」の文字が付されている。
【００８６】
この実施形態に係る印刷システム１０は、基本的には以上のように構成されるものであり、次にその動作について説明する。
【００８７】
図８は、本実施の形態に係る印刷システム１０を用いて適切な印刷物３４を得るためのフローチャートである。主に図１を参照しながら説明する。
【００８８】
先ず、作業者は、形成しようとする印刷物３４に関する印刷条件やその観察態様を調査する（ステップＳ１）。ここで、印刷条件とは、印刷に使用する印刷機１８の種類、メディア３２の種類や前述した印刷モード等である。また、観察態様とは、印刷物３４の観察光源の種類や印刷物３４の掲示態様（反射、透過、又はその混合）等である。
【００８９】
次いで、作業者は、印刷機１８に適切なプロファイルを選定する（ステップＳ２）。通常、目標プロファイル又は印刷プロファイルは、本体２２の記憶部７０に保存されている。印刷機１８に適切なプロファイルが登録（図３に示す記憶部７０に記憶）されていない場合は、印刷プロファイルを別途生成することができる。
【００９０】
次いで、印刷機１８を用いて電子原稿を印刷し、印刷物３４を得る（ステップＳ３）。ここで、図示しないラミネート処理装置を用いて印刷物３４にラミネート処理を施し、その画像形成面上に保護膜を設けてもよい。そうすれば、画像の擦過性・堅牢性を向上させることができる。
【００９１】
次いで、印刷物３４の画像の色を評価し（ステップＳ４）、画像の色が適切か否かを判断する（ステップＳ５）。所望の色合いが得られたか否かについての評価方法としては、画像の全体的外観又は部分的外観に着目し、作業者等の目視により良否を判断する方法、あるいは、測色計２０を用いて印刷物３４の所定の箇所を測色し、その値が所望の範囲内に収まるか否かで判断する方法等を用いることができる。
【００９２】
特に、本実施の形態では、カラー画像の所定の箇所に対して指定色（色見本の現物等）が指定されており、当該箇所の色と前記指定色とが略同色であるか否かで判断される。
【００９３】
この画像評価の結果、印刷物３４の画像が適切でないと判断された場合は、プロファイルの変更等を行うことにより色の微調整を行う（ステップＳ６）。この具体的方法としては、プロファイルの再設定・再生成、現在設定されているプロファイルの補正や電子原稿のデータ修正等が挙げられる。
【００９４】
以下、印刷と評価を繰り返すことにより（ステップＳ３〜Ｓ６）、所望の色の印刷物３４が得られる。
【００９５】
ここで、プロファイルの生成（ステップＳ２）の際の、画像処理装置１６による画像処理の流れについて、図３を参照しながら詳細に説明する。
【００９６】
記憶部７０により記憶された所定のＣＭＹＫ値データに基づいて、プロファイル用データ生成部７８により生成された画像データは、図３に示すように矢印Ｒ１の経路から印刷機ドライバ５６に供給され、電子原稿の印刷と同様の動作により印刷機１８側に供給される。このようにして得られた図示しないプロファイル用カラーチャートの各カラーパッチを、画像処理装置１６に接続された測色計２０を用いて測色し、Ｌ*ａ*ｂ*の色値を取得する。この色値のデータは記憶部７０に一旦記憶される。その後、指定されたＣＭＹＫ値と得られたＬ*ａ*ｂ*との対応関係に基づいて３次元−４次元変換ＬＵＴをデータとして含む印刷プロファイルを生成することができる。
【００９７】
また、電子原稿の印刷（ステップＳ３）の際の、画像処理装置１６による画像処理の流れについて、図３を参照しながら詳細に説明する。
【００９８】
編集装置１４から供給された電子原稿（ＰＤＬ形式）が、ＬＡＮ１２及びＩ／Ｆ５０を介して画像処理装置１６に入力されると、前記電子原稿は、ＲＩＰ５２によりそれぞれ８ビットのＣＭＹＫビットマップ形式（デバイス依存の画像データ）に展開され、目標プロファイル処理部７２によりＬ*ａ*ｂ*（デバイス非依存の画像データ）に変換され、印刷プロファイル処理部７４によりＣＭＹＫ値（デバイス依存の画像データ）に変換され、印刷機ドライバ５６により印刷信号（すなわち、インク射出制御データ）に変換され、Ｉ／Ｆ５８を介して印刷機１８に供給される。その後、印刷機１８により所望の印刷物３４が印刷される。
【００９９】
このとき、複数の設定条件に対応する目標プロファイル及び印刷プロファイルが予め記憶部７０に記憶されているので、予め設定された各種条件に応じて選択的に目標プロファイル及び印刷プロファイルが目標プロファイル処理部７２及び印刷プロファイル処理部７４に供給される。ここで、各プロファイルに対して印刷機１８の印字モード等を加味した補正を適宜行うように構成すれば、さらに適切な色変換処理を行うことができる。
【０１００】
以上、本実施の形態に係る画像処理方法を用いて適切な印刷物３４を得るためのフローチャートについて説明した。次いで、色の微調整方法（特に、指定色の調整方法）について更に詳細に説明する。
【０１０１】
図９は、指定色調整用カラーチャート３４ｃを用いた指定色の調整方法（ステップＳ６）に関するフローチャートである。
【０１０２】
先ず、指定色の色値を入力する（ステップＳ６１）。
【０１０３】
図４に示すように、作業者は、表示装置２４（図１参照）により表示される設定画面１００において、提示されている指定色の色値の入力方法（図４では６通り）のうち１つを選択し、その入力方法に対応するラジオボタン１０２ａ〜１０２ｆを押下する。
【０１０４】
ラジオボタン１０２ａに対応する「Ｌ*ａ*ｂ*で指定」とは、既知の指定色の色値Ｌ*ａ*ｂ*の数値を直接入力する方法である。具体的には、キーボード２８（図１参照）を用いて、３個のテキストボックス１０４に、設定画面１００の左側からＬ*、ａ*、ｂ*の配列順に色値を入力する。
【０１０５】
この入力例として、作業者は、カラーチップ等の色見本を画像処理装置１６とは接続されていない外部の測色計（不図示）により測色し、その色値Ｌ*ａ*ｂ*を入力することができる。
【０１０６】
ラジオボタン１０２ｂに対応する「ＲＧＢで指定」とは、既知の指定色のＲＧＢ値の数値を直接入力する方法である。具体的には、キーボード２８（図１参照）を用いて、３個のテキストボックス１０５に、設定画面１００の左側からＲ、Ｇ、Ｂの配列順に色値を入力する。
【０１０７】
この入力例として、作業者は、色見本の現物を所持していないが、指定色としてのＲＧＢ値を知っている場合には、この値を直接入力することができる。
【０１０８】
また、作業者は、電子原稿のデータの属性に応じて適切な目標プロファイルを選択し、プルダウンメニュー１０７を用いて設定する。そうすると、選択された目標プロファイル（図４では、「ｓＲＧＢ」）に対応するＲＧＢ−Ｌ*ａ*ｂ*変換式により、３個のテキストボックス１０５に入力されたＲＧＢ値は、色値Ｌ*ａ*ｂ*に変換される。
【０１０９】
ラジオボタン１０２ｃに対応する「ＣＭＹＫで指定」とは、既知の指定色のＣＭＹＫ値の数値を直接入力する方法である。具体的には、キーボード２８（図１参照）を用いて、４個のテキストボックス１０６に、設定画面１００の左側からＣ、Ｍ、Ｙ、Ｋの配列順に色値を入力する。
【０１１０】
この入力例として、作業者は、色見本の現物を所持していないが、指定色としてのＣＭＹＫ値を知っている場合には、この値を直接入力することができる。
【０１１１】
また、作業者は、電子原稿のデータの属性に応じて適切な目標プロファイルを選択し、プルダウンメニュー１０８を用いて設定する。そうすると、選択された目標プロファイル（図４では、「ＩＳＯ  ｃｏａｔｅｄ」）に対応するＣＭＹＫ−Ｌ*ａ*ｂ*変換式により、４個のテキストボックス１０６に入力されたＣＭＹＫ値は、色値Ｌ*ａ*ｂ*に変換される。
【０１１２】
ラジオボタン１０２ｄに対応する「測色計で測定」とは、カラーチップ等の色見本を測色計２０により測色し、その色値Ｌ*ａ*ｂ*を入力する方法である。具体的には、測色計２０で測色可能な状態となるように色見本をセットした後、［測色］ボタン１１２を押下すると、測色計２０により得られた色値が、Ｉ／Ｆ６８を介して、画像処理装置１６側に自動的に取得され、その後に記憶部７０に記憶される。
【０１１３】
ラジオボタン１０２ｅに対応する「特色名で指定」とは、記憶部７０やデータベースＤＢ等に記憶・管理されている特色名を参照することにより、該特色名に対応するＬ*ａ*ｂ*の色値を取得する方法である。
【０１１４】
ラジオボタン１０２ｆに対応する「カラーホイールで指定」とは、カラーホイール１１４を用いてＬ*ａ*ｂ*の色値を取得する方法である。具体的には、作業者は、マウス３０のドラッグ動作により、カラーパレット１２２上の丸型ポインタ１２４を移動させる。そうすると、横方向は彩度（Ｃ）、縦方向は明度（Ｌ）を変数として指定色を変化させることができる。また、作業者は、マウス３０のドラッグ動作により、カラーバー１２６上の三角ポインタ１２８を上下方向に移動させる。そうすると、縦方向は色相（Ｈ）を変数として指定色を変化させることができる。
【０１１５】
丸型ポインタ１２４、三角ポインタ１２８を移動させると、現在の指示値が更新され、該指示値（ＬＣＨ）がＬ*ａ*ｂ*値に変換され、該Ｌ*ａ*ｂ*値が表示装置２４のプロファイルによりＲＧＢ値に変換され、該ＲＧＢ値に基づいて表示装置２４が駆動され、参照パッチ１１６として表示装置２４の画面上に表示される。
【０１１６】
ラジオボタン１０２ａ〜１０２ｅにより選択された入力方法により色値が入力されていると、その値がカラーホイール１１４上の丸型ポインタ１２４、三角ポインタ１２８の指示値に反映されている。その値から参照パッチ１１６に表示されている色と、色見本の現物とを比較観察しながら、入力値をさらに微調整することができる。
【０１１７】
作業者は、６通りのうち一の入力方法を選択し、指定色に関する情報を入力した後、［ＯＫ］ボタン１２０を押下する。そうすると、入力された指定色の色値は記憶部７０に記憶される。
【０１１８】
次いで、図９に戻り、作業者は、基準色の初期値を設定する（ステップＳ６２）。ここで、基準色の初期値の設定方法に関して、図５に示す設定画面１３０を参照しながら説明する。
【０１１９】
先ず、指定色の色値が読み出される。読み出される色値Ｌ*ａ*ｂ*は、設定画面１００（図４参照）から設定された値であって、記憶部７０により既に記憶されている。
【０１２０】
次いで、読み出された色値Ｌ*ａ*ｂ*が、印刷機１８のガマットの範囲内（以下、単に「ガマット内」という場合がある。）の色か否かを判定する。この判定は、ガマット内外判定部８６により行われる（図３参照）。
【０１２１】
作業者は、図５に示す設定画面１３０において、プルダウンメニュー１３２を用いて色調整を行おうとする印刷機１８及びメディア３２の組み合わせの種類を選択する。そうすると、選択された印刷機１８及びメディア３２の組み合わせの種類に応じて、記憶部７０に記憶されている印刷プロファイルが取得される。
【０１２２】
なお、その印刷機１８及びメディア３２に適した印刷プロファイルを未だ生成していない場合は、予め登録されている規定値の印刷プロファイル（デフォルトプロファイル）を用いることができる。
【０１２３】
作業者による印刷プロファイルの種類の選択後、ガマット内外判定部８６（図３参照）により、前記印刷プロファイルが備える色変換ＬＵＴを用いて、設定された基準色についての印刷機１８のガマットの属否が判定される。ここで、「ガマットの属否」とは、所定の色がガマット内の色であるか否かの属性をいう。
【０１２４】
もし、ガマット内の色であると判定された場合、表示欄１３４の「ガマット内」欄の左方にある別欄に丸印が付される。
【０１２５】
なお、本実施の形態では、ガマット内の色か否かの判定のみならず、ガマット内であってもガマット境界近傍の色かをも判定することができる。この場合、表示欄１３４の「ガマット境界」欄の左方にある別欄に丸印が付される。
【０１２６】
作業者は、表示欄１３４で「ガマット内」又は「ガマット境界」であることを確認すると、［次へ］ボタン１４２を押す。そうすると、指定色が基準色として設定される。
【０１２７】
一方、指定色がガマット外（以下、単に「ガマット外」という場合がある。）の色であると判定された場合、表示欄１３４の「ガマット外」欄の左方にある別欄に丸印が付される。あわせて、所定のマッピング方法を用いて、指定色の色値はマッピング部８８により印刷機１８のガマットの範囲内の色にマッピングされる。
【０１２８】
このマッピング方法として、明度一致、彩度一致、最短距離等の種々のアルゴリズムを適用できる。例えば、「明度（又は彩度）一致」とは、指定色の明度（彩度）と略一致するガマット内の色のうち、該指定色との色差が最小となる色にマッピングする方法である。
【０１２９】
作業者が、マッピング後の色を基準色に設定することが妥当であると判断した場合は、作業者は「次へ」ボタン１４２を押下する。そうすると、マッピングされた指定色（印刷機１８のガマット内の色）が基準色として設定される。
【０１３０】
一方、作業者が、マッピング後の色を基準色に設定することが妥当でないと判断した場合は、設定画面１３０の下方に設けられたグラフ１３８を参照しながら、基準色を微調整することができる。
【０１３１】
具体的には、スピンボタン付テキストボックス１３６を用いて、各色値Ｌ*、ａ*、ｂ*をそれぞれ独立に調整することができる。作業者は、キーボード２８を用いてテキストボックスへ直接入力し、マウス３０を用いてスピンボタンを操作することにより、これらの値を微調整できる。
【０１３２】
グラフ１３８には、印刷機１８のガマット境界を示す曲線１４４と、各色のプロットが均等色空間上（例えば、Ｌ*−ａ*平面）に表示されている。所定のマッピング方法により、印刷機１８のガマット外（曲線１４４の上方側）にある指定色１４６ａが、そのガマット内の色である変換色１４８ａにマッピングされている。なお、指定色１４６ａ及び変換色１４８ａのプロットは、グラフ１３８上に固定的に表示されている。
【０１３３】
一方、指定色１４６ａを始点としてスピンボタン付テキストボックス１３６の操作により微調整された別の指定色１４６ｂも併せて表示されており、該別の指定色１４６ｂが、前記所定のマッピング方法により別の変換色１４８ｂにマッピングされている。なお、別の指定色１４６ｂ及び別の変換色１４８ｂのプロットは、別の指定色１４６ｂの変更に応じてグラフ１３８上に即時的に反映される。
【０１３４】
なお、これらの４色を設定画面１３０上に図示しない参照パッチとして比較表示させることで、指定色に最も近いと視認される色を基準色として設定してもよい。また、基準色の設定値の変更には、図５に示される構成に限られず、スライダバーやカラーホイール等の種々のＧＵＩに関する構成を採り得る。
【０１３５】
このようにして、基準色の初期値が設定される（ステップＳ６２）。作業者が［次へ］ボタン１４２を押下すると、設定画面１３０は図６に示す設定画面１６０に遷移される。これらの値は、ＧＵＩを介して画像処理装置１６に取得され、記憶部７０により記憶され、カラーチャート条件設定部８４により設定される（図３参照）。
【０１３６】
次いで、図９に戻り、指定色調整用カラーチャート３４ｃ上のカラーパッチ３６の個数及び色間隔の初期設定を行う（ステップＳ６３）。作業者が図５に示す［次へ］ボタン１４２を押下すると、設定画面１３０は図６に示す設定画面１６０に遷移されるとともに、パッチ個数決定部９２（図３参照）によりカラーパッチ３６の個数が、色間隔決定部９４によりカラーパッチ３６の色間隔がそれぞれ推奨値として決定される。
【０１３７】
以下、指定色調整用カラーチャート３４ｃ上のカラーパッチ３６の個数及び色間隔の決定方法について、図１０のフローチャートを参照しながら詳細に説明する。
【０１３８】
先ず、「指定色の入力方法」を取得する（ステップＳ６３１）。ここで、「指定色の入力方法」とは、作業者が、図４に示す設定画面１００上のラジオボタン１０２ａ〜１０２ｆを介して指定色の色値を入力した具体的方法をいう。
【０１３９】
次いで、「印刷プロファイルの設定方法」を取得する（ステップＳ６３２）。ここで、「印刷プロファイルの設定方法」とは、作業者が、図５に示す設定画面１３０上のプルダウンメニュー１３２を介して印刷プロファイルの種類を設定した具体的方法をいう。
【０１４０】
次いで、「ガマット属否の判定結果」を取得する（ステップＳ６３３）。ここで、「ガマット属否の判定結果」とは、作業者が図５に示す設定画面１３０上の表示欄１３４に表示されている判定結果、すなわち、ガマット内外判定部８６（図３参照）により判定された結果をいう。
【０１４１】
次いで、指定色を指定色調整用カラーチャート３４ｃの色として再現させる際の変動範囲を予測する（ステップＳ６３４）。前記変動範囲は、変動範囲予測部９０（図３参照）により予測される。
【０１４２】
本実施の形態において、前記変動範囲は、単なる印刷色の再現精度のみならず、作業者の色識別能力の個人差をも含めた広い概念である。そこで、前記変動範囲を「影響度」として定量化し、さらに、この影響度を、色再現性を阻害する誤差要因の影響度と、色識別能力の個人差による誤差要因の影響度とに大別している。以下、前者を「色再現誤差の影響度」、後者を「個人差の影響度」という。
【０１４３】
本実施の形態では、各影響度の大小を誤差要因毎に予め分析し、得点表を作成（点数化）しておき、実際の作業結果に応じて前記誤差要因毎に点数を加算することにより前記変動範囲を予測する方法を採っている。
【０１４４】
図１１Ａは、各評価項目に対する色再現誤差又は個人差の影響度の得点表である。
【０１４５】
第一に算出される色再現誤差の影響度は、カラーパッチ３６の個数を決定する際に参照される。この影響度の値が大きいほど色再現誤差が生じ易く、この影響度の値が小さいほど色再現誤差が生じにくい傾向がある。
【０１４６】
「指定色の入力方法」に関して、色値Ｌ*ａ*ｂ*を直接入力する場合（図４に示すラジオボタン１０２ａ、１０２ｄ又は１０２ｅ）は、色再現誤差が小さいと考えられるので０点を与える。また、ＲＧＢ値やＣＭＹＫ値で入力する場合（図４に示すラジオボタン１０２ｂ又は１０２ｃ）は、目標プロファイルのＬＵＴ演算の際に色再現誤差が若干発生すると考えられるので１点を与える。さらに、カラーホイール１１４で指定する場合（図４に示すラジオボタン１０２ｆ）は、表示装置２４の設定画面１００上で目視により色を決定するので、画像の表示誤差や観察者による誤差を考慮して最も大きい３点を与える。
【０１４７】
「印刷プロファイルの設定方法」に関して、印刷機１８及びメディア３２毎に適切なプロファイルを設定した場合は色再現誤差が小さいと考えられるので１点を与える。また、実測データを用いて生成された印刷プロファイルではなく、予め登録されているデフォルトプロファイルを設定した場合、色再現誤差が生じ得るので３点を与える。
【０１４８】
「ガマット属否の判定結果」に関して、ガマット内の色であれば色を略再現可能であるので１点を与える。また、ガマット内の色であっても境界付近の色である場合は非線形性が強く色再現傾向を把握しにくいと予想されるため３点を与える。さらに、ガマット外の色である場合は、指定色と略同色を選択することが物理的に不可能であるため、感覚的に最も近い色を選択することになる。
【０１４９】
図１１Ｂは、横軸はガマットまでの距離、縦軸は色再現誤差の影響度を示すグラフである。ここで、色差Δｅは、均等色空間における印刷機１８のガマット曲面と指定色との距離である。
【０１５０】
図に示すように、０＜Δｅ＜４の場合では影響度は一定値（４点）であり、４≦Δｅ≦１６の場合では影響度は一次関数的に増加し、Δｅ＞１６の場合では影響度は一定値（１０点）である。このように、色再現誤差の影響度を所定の変数（図１１Ｂの例では、色差Δｅ）の関数として求めてもよい。
【０１５１】
第二に算出される個人差の影響度は、カラーパッチ３６の色間隔を決定する際に参照される。この影響度の値が大きいほど選択される色のばらつきが生じ易く、この影響度の値が小さいほど選択される色のばらつきが生じにくい傾向がある。
【０１５２】
図１１Ａから諒解されるように、色再現誤差及び個人差の影響度に関する評価項目は共通するが、与えられる点数が異なっている。このように、カラーパッチ３６の個数及び色間隔を決定するための変動範囲を独立に予想しているので、それぞれ適切な値に決定できる。
【０１５３】
「指定色の入力方法」に関して、色値Ｌ*ａ*ｂ*を直接入力する場合やＲＧＢ値やＣＭＹＫ値で入力する場合（図４に示すラジオボタン１０２ａ〜１０２ｅ）は、作業者の色識別能力による影響が無いと考えられるので０点を与える。また、カラーホイール１１４で指定する場合（図４に示すラジオボタン１０２ｆ）は、表示装置２４の設定画面１００上で目視により色を決定するので、作業者の色識別能力が直接影響を与えるため２点を与える。
【０１５４】
「印刷プロファイルの設定方法」に関して、作業者の色識別能力による影響が無いと考えられるので０点を与える。
【０１５５】
「ガマット属否の判定結果」に関して、ガマット内の色（境界付近の色を含む。）であれば色を略再現可能であり、作業者の色識別能力による影響が無いと考えられるので、０点を与える。また、ガマット外の色である場合は、指定色に感覚的に最も近いガマット内の色を選択しなければならないので、作業者の色識別能力が直接影響を与えるため３点を与える。
【０１５６】
次いで、図１０に戻り、カラーパッチ３６の個数及び色間隔の推奨値を決定する（ステップＳ６３５）。
【０１５７】
図１２Ａは、ステップＳ６３４で変動範囲として算出された色再現誤差の影響度に対するカラーパッチ３６の個数の対応表である。パッチ個数決定部９２により、この対応表に従って指定色調整用カラーチャート３４ｃ上に配設するカラーパッチ３６の個数が決定される。
【０１５８】
標準的な作業者向けの設定である中級モードでは、点数が５点以下である場合は３個、点数が６点以上９点以下である場合は５個、点数が１０点以上である場合は７個にそれぞれ決定される。
【０１５９】
経験の浅い作業者は、特にガマット近傍での色の傾向の予測に関する知見が少ないので、１枚のカラーチャート上の色の選択肢を増やす方が却って効率的である。よって、初級モードでは、色再現誤差の影響度が大きい範囲において、中級モードよりもパッチ個数を増やすように対応表が設定されている。
【０１６０】
一方、経験の豊富な作業者は、１枚のカラーチャート上の色の提示範囲を極力狭めて色の分解能を向上させる方が効率的である。よって、上級モードでは、色再現誤差の影響度が比較的少ない範囲において、中級モードよりもカラーパッチ３６の個数を増やすように対応表が設定されている。
【０１６１】
図１２Ｂは、ステップＳ６３４で変動範囲として算出された個人差の影響度に対するカラーパッチ３６の色間隔の対応表である。色間隔決定部９４により、この対応表に従って指定色調整用カラーチャート３４ｃ上に配設するカラーパッチ３６の色間隔が決定される。
【０１６２】
標準的な作業者向けの中級モードでは、点数が０点である場合はΔｅ＝５、点数が２点である場合はΔｅ＝７、点数が３点である場合はΔｅ＝９、点数が５点である場合はΔｅ＝１１に決定される。
【０１６３】
経験の浅い作業者は色の選択作業に不慣れであり、１回の選択に要する時間が掛かるので、１枚のカラーチャート上の色の提示範囲を広げる方が効率的である。よって、初級モードでは、中級モードよりも色間隔が大きくなるように対応表が設定されている。
【０１６４】
一方、経験の豊富な作業者は色の選択作業に熟練しており、１回の選択に時間が掛からないので、１枚のカラーチャート上の色の提示範囲を極力狭めて色の分解能を向上させる方が効率的である。よって、上級モードでは、中級モードよりも色間隔が小さくなるように対応表が設定されている。
【０１６５】
このように、作業者の熟練度に応じて異なる対応表を用いるので、カラーパッチ３６の個数又は色間隔の決定方法を変更可能である。これにより、それぞれの作業者にとって作業効率性及び色選択精度が向上する。
【０１６６】
また、カラーパッチ３６の個数又は色間隔の決定方法はこれに限られない。各作業状況に応じてカラーパッチ３６の提示範囲（面積又は体積）が適切に設定されるように、カラーパッチ３６の個数及び色間隔を決定することができる。
【０１６７】
例えば、上述した「色再現誤差の影響度」に基づいてカラーパッチ３６の色間隔を決定し、且つ、上述した「個人差の影響度」に基づいてカラーパッチ３６の個数を決定するようにしてもよい。
【０１６８】
また、点数化された「色再現誤差の影響度」のみを用いて、カラーパッチ３６の個数又は色間隔を決定してもよい。
【０１６９】
図１３Ａは、色再現誤差の影響度に対するカラーパッチ３６の個数及び色間隔の対応表の第１変形例である。このように、色再現誤差の影響度の増加に対して、カラーパッチ３６の個数及び色間隔Δｅのいずれも減少しない（等値又は増加する）ように決定することができる。
【０１７０】
図１３Ｂは、色再現誤差の影響度に対するカラーパッチ３６の個数及び色間隔の対応表の第２変形例である。このように、色再現誤差の影響度の増加に対して、カラーパッチ３６の個数が減少しないが、カラーパッチ３６の色間隔Δｅが減少するように決定することができる。
【０１７１】
決定されたカラーパッチ３６の個数と色間隔の値が、初期値として設定される。この変数は模擬データ生成部７９に供給され、模擬データ生成部７９により指定色調整用カラーチャート３４ｃを模擬した画像データが生成される。前記画像データをＩ／Ｆ６４を介して表示装置２４に表示させると、現在の推奨されている個数及び色間隔の結果が反映されたパッチ選択画像１６２（図６参照）が表示される。
【０１７２】
次いで、カラーパッチ３６の個数及び色間隔の設定を確定するか否かを判断し（ステップＳ６３６）、変更を要する場合は、図７に示す設定画面２００での設定操作により変更が自在である（ステップＳ６３７）。
【０１７３】
かかる場合、作業者は、図６に示す設定画面１６０の［マニュアル設定］ボタン１８２を押下すると、設定画面１６０は図７に示す設定画面２００に遷移される。
【０１７４】
設定画面２００の上方部に設けられたパッチ選択画像２０２は、指定色調整用カラーチャート３４ｃの二次元的配置を模した画像である。縦線及び横線から構成される補助線２２０の各交点が各カラーパッチ３６の中央位置に相当する。
【０１７５】
なお、本実施の形態でのパッチ選択画像２０２には、各カラーパッチ３６の形状が省略して表示されているが、カラーパッチ３６との配置関係が把握できる描画仕様であれば、その表示態様は問わない。
【０１７６】
スライダバー２０４のスライダ２２４は、現在、ゲージ２２２上の「５」の位置を指し示している。これは、正方状に配設されたカラーパッチ３６の各段における一辺あたりの個数を表している。よって、Ｌ*、ａ*、ｂ*のいずれも５通りの値を取り得ることから、５×５×５＝１２５個のカラーパッチ３６が配設されることになる。
【０１７７】
スライダバー２０４の下方部にある矢印２２６は、「カラーパッチ個数」の現在の推奨値に相当するゲージ２２２上の位置を指示する。上述のように、この推奨値はパッチ個数決定部９２（図３参照）により決定された値である。
【０１７８】
カラーパッチ３６の個数の設定を変更する際、作業者は、スライダ２２４をゲージ２２２に沿って左右方向に移動させることにより、３〜７個の範囲でカラーパッチ３６の個数を変更することができる。そして、カラーパッチ３６の個数を再設定すると、その個数に対応するように、マトリクス画像２１６の描画態様が即時的に変更される。
【０１７９】
スライダバー２０６のスライダ２３０は、現在、ゲージ２２８上の略中央の「中」の位置を指し示している。これは、隣接するカラーパッチ３６同士の色差の大きさのレベルを表している。
【０１８０】
スライダバー２０６の下方部にある矢印２３２は、「色間隔」の現在の推奨値に相当するゲージ２２８上の「中」の位置を指示する。上述のように、この推奨値は色間隔決定部９４（図３参照）により決定された値である。
【０１８１】
カラーパッチ３６の色間隔の設定を変更する際、作業者は、スライダ２３０をゲージ２２８に沿って左右方向に移動させることにより、予め設定された範囲内（小〜大レベル）で色間隔を変更することができる。
【０１８２】
さらに、３個のラジオボタン２０８のうち、中間位置の「中級モード」が初期値として設定されている。この「中級モード」は、図１２Ａ及び図１２Ｂの対応表に示される「中級」に相当する。
【０１８３】
パッチ探索モードの設定を変更する際、作業者は、適切なモードに対応するラジオボタン２０８を押下することにより、カラーパッチ３６の個数及び色間隔を決定するための対応表を変更することができる。
【０１８４】
作業者は、自らの好みで指定色調整用カラーチャート３４ｃの各設定を変更する場合は［設定変更］ボタン２１２を押下し、かかる設定の変更を行わない場合は［戻る］ボタン２１０を押下する。そうすると、設定画面２００は図６に示す設定画面１６０に再び遷移される。
【０１８５】
このようにして、カラーパッチ３６の個数及び色間隔の初期設定が終了する（ステップＳ６３）。なお、本実施の形態では、カラーパッチ３６の個数及び色間隔の両方についてそれぞれ推奨値を決定し初期値として設定する構成を採っているが、いずれか一方を決定するようにしてもよい。
【０１８６】
次いで、図９に戻り、指定色調整用カラーチャート３４ｃを印刷する（ステップＳ６４）。作業者は図６に示す［カラーチャート印刷］ボタン１６８を押下すると、指定色調整用カラーチャート３４ｃの印刷処理が開始される。
【０１８７】
色の異なる複数のカラーパッチ３６を二次元的に配置する際の色の決定方法の一つとして、均等色空間ＣＩＥＬＡＢ系の３つの変数（Ｌ*，ａ*，ｂ*）についてカラーパッチ３６の位置毎に徐々に変化させる方法が考えられる。具体的には、各カラーパッチ３６に対応する画素値を、（１）〜（３）式のように決定することができる。
Ｌ*i＝Ｌ*0＋ΔＬ*×ｉ  （ｉは整数）          …（１）
ａ*j＝ａ*0＋Δａ*×ｊ  （ｊは整数）          …（２）
ｂ*k＝ｂ*0＋Δｂ*×ｋ  （ｋは整数）          …（３）
【０１８８】
この場合、基準色は（Ｌ*0，ａ*0，ｂ*0）からなる色に相当し、色間隔は（ΔＬ*，Δａ*，Δｂ*）に相当する。なお、カラーパッチ３６の色間隔は、（ΔＬ*，Δａ*，Δｂ*）に限られることなく、任意のデバイス非依存データを変数として用いることができるし、ＣＭＹＫ、ＲＧＢ等のデバイス依存データでもよい。
【０１８９】
図１４は、例えば、図２に示す指定色調整用カラーチャート３４ｃにおける各カラーパッチ３６の色の設計値を示している。表の左方部、上方部に示される番号は、行番号３８、列番号４０にそれぞれ対応しており、各欄の上段、中段及び下段はそれぞれ（１）式に示す「ｉ」の値、（２）式に示す「ｊ」の値及び（３）式に示す「ｋ」の値を示す。
【０１９０】
この場合の色の提示範囲は、（Ｌ*0＋ΔＬ*，ａ*0＋Δａ*，ｂ*0＋Δｂ*）、（Ｌ*0＋ΔＬ*，ａ*0＋Δａ*，ｂ*0−Δｂ*）、（Ｌ*0＋ΔＬ*，ａ*0−Δａ*，ｂ*0＋Δｂ*）、（Ｌ*0＋ΔＬ*，ａ*0−Δａ*，ｂ*0−Δｂ*）、（Ｌ*0−ΔＬ*，ａ*0＋Δａ*，ｂ*0＋Δｂ*）、（Ｌ*0−ΔＬ*，ａ*0＋Δａ*，ｂ*0−Δｂ*）、（Ｌ*0−ΔＬ*，ａ*0−Δａ*，ｂ*0＋Δｂ*）、（Ｌ*0−ΔＬ*，ａ*0−Δａ*，ｂ*0−Δｂ*）の８点で形成される直方体領域に相当する。
【０１９１】
このように、指定色調整用データ生成部７６（図３参照）により、隣接するカラーパッチ３６の色差が略等間隔になるような画像データが生成される。なお、この基準色及び色間隔は、カラーチャート条件設定部８４により予め設定され記憶部７０に記憶されているデータを読み出して用いることができる。
【０１９２】
指定色調整用データ生成部７６により生成された画像データは、図３に示すように矢印Ｒ２の経路から印刷プロファイル処理部７４に供給され、電子原稿の印刷と同様の動作により印刷機１８側に供給される。このようにして得られた指定色調整用カラーチャート３４ｃ（図２参照）の各カラーパッチ３６は、予め設計した色（Ｌ*，ａ*，ｂ*）を略再現する。
【０１９３】
ここで、指定色調整用カラーチャート３４ｃを印刷するための画像データは、ＴＩＦＦやＢｉｔｍａｐ等のラスタ画像データに限られず、ＰＤＦやＰｏｓｔＳｃｒｉｐｔ（登録商標）等のＰＤＬ形式の画像データでもよい。
【０１９４】
指定色調整用カラーチャート３４ｃを印刷する場合における画像処理装置１６の動作原理について、図示しないプロファイル用カラーチャートの場合と同様であるため説明を割愛する。
【０１９５】
次いで、図９に戻り、作業者は、印刷された指定色調整用カラーチャート３４ｃのうちカラーパッチ３６を１個選択する（ステップＳ６５）。具体的には、カラーチップや、表示装置２４の画面上に表示された色等である目標となる指定色を表す色見本と、指定色調整用カラーチャート３４ｃとを比較観察し、指定色に最も近い色であるカラーパッチ３６を選択する。
【０１９６】
このように構成しているので、作業者が指定色調整用カラーチャート３４ｃを観察する際にカラーパッチ３６の色の変化が略等間隔で視認されるため、指定色に最も近い色であるカラーパッチ３６を容易に選択できる。
【０１９７】
なお、カラーパッチ３６の選択に関して、指定色との近似性が極めて高い場合は１個を選択してもよいし、隣接する４個のカラーパッチ３６の中間位置として選択してもよい。また、２７個のカラーパッチ３６が提示する色のいずれにも該当しない場合は、その範囲外であるとの選択をしてもよい。
【０１９８】
あるいは、作業者は、測色計２０を用いて各カラーパッチ３６を直接測色し、その測色値を手掛かりに指定色に最も近い色であるカラーパッチ３６を選択してもよい。
【０１９９】
次いで、作業者は、選択したカラーパッチ３６の識別情報を入力する（ステップＳ６６）。具体的には、作業者は、入力装置２６により、選択されたカラーパッチ３６の配置位置に対応した行番号３８、列番号４０が表す値（図２参照）を入力する。
【０２００】
図６に示す設定画面１６０において、指定色調整用カラーチャート３４ｃ上の複数のカラーパッチ３６の配設位置を模擬したマトリクス画像１８０の領域内のいずれかの位置をマウス３０（図１参照）でクリックすると、その位置にポインタ１９０が配置される。
【０２０１】
そうすると、マトリクス画像１８０の一部として表示された各カラーパッチ１８６と、ポインタ１９０との相対的位置関係によって、カラーパッチ３６の間隔、すなわち色間隔（ΔＬ*，Δａ*，Δｂ*）よりも高い分解能で選択色の指示が可能となる。指示色算出部９６（図３参照）により、ポインタ１９０の指示位置からその位置に対応する色値が算出されるが、その演算例を以下に示す。
【０２０２】
図１５Ａ及び図１５Ｂは、図６に示すポインタ１９０により所定の色が選択されたときのマトリクス画像１８０の一部拡大概略図である。例えば、なお、行番号１７６、列番号１７８の配置は図６と比較して異なるが、説明の便宜上変更している。
【０２０３】
図１５Ａにおいて、行番号（０）、列番号（０’）を中心として、二次元座標を表示している。
【０２０４】
カラーパッチ３６の中心位置であるＣ1の色は（Ｌ*0＋ΔＬ*，ａ*0，ｂ*0）で表される。そうすると、（ｘ，ｙ）＝（０．５，０．５）を指示するポインタ１９０ａの位置の色は、内挿による補間演算によって、（Ｌ*0＋ΔＬ*，ａ*0＋０．５・Δａ*，ｂ*0＋０．５・Δｂ*）と算出される。
【０２０５】
図１５Ｂにおいて、行番号（０）、列番号（０”）を中心として、二次元座標を表示している。
【０２０６】
Ｃ2の色は（Ｌ*0−ΔＬ*，ａ*0，ｂ*0）で表される。そうすると、（ｘ，ｙ）＝（−０．７，１．７）を指示するポインタ１９０ｂの位置の色は、外挿による補間演算によって、（Ｌ*0−ΔＬ*，ａ*0−０．７・Δａ*，ｂ*0＋１．７・Δｂ*）と算出される。
【０２０７】
あるいは、カラーパッチ３６の提示範囲を超えた場合、すなわち、ｘ＜−１、１＜ｘ（又はｙ＜−１、１＜ｙ）のときには、カラーパッチ３６の色の提示範囲の圏外と判断し、別の演算を施してもよい。
【０２０８】
なお、ガマット外の色のように色再現できない領域や、ガマット近傍の色のように非線形性が強く色再現精度が低下する領域にある色のカラーパッチ３６を印刷する際に、作業者への注意喚起という観点で、音声や画面表示等による警告を促すことが好ましい。
【０２０９】
また、そのカラーパッチ３６の位置に対応するカラーパッチ１８６（図６参照）に識別印を付すことが好ましい。識別印を付すことには、カラーパッチ１８６の周辺にマークを付するのみならず、カラーパッチ１８６自体を変形させることも含まれる。
【０２１０】
さらに、指定色調整用カラーチャート３４ｃと同等の描画仕様にしているので、作業者にとって対応関係が明確になり好ましい。
【０２１１】
次いで、作業者は、図９に戻り、選択されたカラーパッチ３６によって指定色と略同色を再現できたか否かを判断する（ステップＳ６７）。その結果、略同色でなく更に選択の余地があるものと判断した場合は、作業者は次の基準色及び色間隔を再設定する（ステップＳ６８）。
【０２１２】
上述のように、作業者が図６に示すマトリクス画像１８０上の所定の位置をポインタ１９０で指示すると、その指示位置に対応する色値がスピンボタン付テキストボックス１６４に即時に表示され、この色値が新たな基準色として設定される。あるいは、作業者は、スピンボタンを操作することにより新たに設定された基準色を微調整してもよい。
【０２１３】
一方、スピンボタン付テキストボックス１６６に現在表示されている数値が新たな色間隔として設定される。あるいは、作業者は、スピンボタンを操作することにより再設定してもよい。例えば、さらに詳細に色調整を行いたい場合は色間隔を小さく設定すればよく、指定色がカラーパッチ３６の提示範囲の範囲外にあると判断した場合は、色間隔を大きく設定すればよい。
【０２１４】
作業者は、次の基準色及び色間隔を再設定した後、図６に示す［カラーチャート印刷］ボタン１６８を押下すると、マトリクス画像１８０の描画が変更され、設定画面２００で設定されたカラーパッチの個数に変更されている。また、印刷機１８により印刷された新たな指定色調整用カラーチャート３４ｃは、その設定に応じてカラーパッチ３６の個数が変更され、基準色及び色間隔が変更されている。
【０２１５】
なお、カラーパッチ３６の個数をスライダバー２０４（図７参照）で変更した後、その個数を変更した設定画面１６０（図６参照）や設定画面２００（図７参照）に表示することなく指定色調整用カラーチャート３４ｃを印刷しても良い。
【０２１６】
このように、再設定された次の基準色及び色間隔に基づいて指定色調整用カラーチャート３４ｃが印刷される。なお、ステップＳ６４〜Ｓ６８の作業中に［中止］ボタン１７４を押下するとこの作業は中止される（図６参照）。
【０２１７】
以上のようにして、指定色調整用カラーチャート３４ｃ上において指定色と同色が再現されるまでこの作業を繰り返し、［確定］ボタン１７２を押下する。
【０２１８】
そうすると、図６に示す設定画面１６０で設定された基準色の色値（Ｌ*，ａ*，ｂ*）、色間隔（ΔＬ*，Δａ*，Δｂ*）及びポインタ１９０の指示値に基づいて印刷プロファイルは変更され（ステップＳ６９）、指定色の調整作業は終了する。
【０２１９】
あるいは、印刷プロファイルを変更するのではなく、電子原稿のデータを直接補正するようにしてもよい。なお、電子原稿のデータには、写真やコンピュータグラフィック等のデータの他に、ロゴマーク等のイラストデータや、グラデーション等の色値を指定してあるデータも含まれる。
【０２２０】
具体的には、指定色に最も近い色のデータ（修正値）を表示装置２４に表示させ、作業者が原稿編集用ソフトウェアを用いて電子原稿のデータを補正することが好ましい。
【０２２１】
また、修正値としてＬ*ａ*ｂ*等のデバイス非依存データや、ＣＭＹＫ、ＲＧＢ等のデバイス依存データを用いることができ、同一画面上にそれぞれの値を併せて表示させることが好ましい。そうすれば、電子原稿のデータ形式や原稿編集用ソフトウェアの種類に応じて、作業者が適切な形式の修正値を選択できるからである。
【０２２２】
本実施の形態では、指定色に最も近い色はＬ*ａ*ｂ*の色値で取得されるので、所定の目標プロファイルに基づいてデバイス依存データ（ＣＭＹＫやＲＧＢ等）に変換する必要がある。ここで、所定の目標プロファイルとは、図４に示すプルダウンメニュー１０７、１０８で選択された目標プロファイルと同一である。
【０２２３】
以上のようにして、指定色の調整作業が完了する。
【０２２４】
以上のように、指定色の色値（Ｌ*ａ*ｂ*の測色値等）を入力し、入力された前記指定色を指定色調整用カラーチャート３４ｃの印刷色として再現させる際の変動範囲を予測し、予測された前記変動範囲に基づいてカラーパッチ３６の個数又はカラーパッチ３６の色間隔を決定するので、指定色調整用カラーチャート３４ｃを再印刷する回数を極力減らし、色見本と比較観察するカラーパッチ３６の個数を極力減らすことができる。
【０２２５】
なお、この発明は、上述した実施形態に限定されるものではなく、この発明の主旨を逸脱しない範囲で自由に変更できることは勿論である。
【０２２６】
本実施の形態では、指定色調整用カラーチャート３４ｃ上の各カラーパッチ３６の形状は矩形であるがこれに限定されることはなく、例えば、三角形、六角形、円形等でもよい。
【０２２７】
また、カラーパッチ３６の配列方法についても、その識別情報との対応関係が明確である限り、種々の配列形態を採ることができる。例えば、カラーパッチ３６が正六角形である場合は、ハニカム構造に配列することにより、色の配列方法を工夫することができる。
【０２２８】
さらに、本実施の形態では、指定色調整用カラーチャート３４ｃ上に付された行番号３８及び列番号４０（図２参照）を識別情報として、設定画面１６０（図６参照）を介して入力する構成を採っているが、識別情報の入力方法はこれらに限定されない。
【０２２９】
さらに、本実施の形態では変動範囲の予測方法として相対的な変数である色再現誤差又は個人差の影響度を用いているが、実験データ等に基づいて実際の色値の変動範囲を見積もってもよい。
【０２３０】
さらに、本実施の形態では、印刷機１８がインクジェット方式である構成を採っているがこれに限定されることなく、電子写真、感熱方式等であっても本発明の作用効果を得ることができる。また、出力形態はハードコピーに限定されず、ソフトコピー、すなわち、画像表示装置（あるいは種々の表示方式）にも本発明が適用できることはいうまでもない。
【符号の説明】
【０２３１】
１０…印刷システム                        １４…編集装置
１６…画像処理装置                        １８…印刷機
２０…測色計                              ２２…本体
２４…表示装置                            ２６…入力装置
３２…メディア                            ３４…印刷物
３４ｃ…指定色調整用カラーチャート        ３６、１８６…カラーパッチ
３８、１７６、２１４…行番号              ４０、１７８、２１５…列番号
５０、５８、６４、６６、６８…Ｉ／Ｆ      ５２…ＲＩＰ
５４…色変換処理部                        ５６…印刷機ドライバ
６０…色管理部                            ６２…画像データ生成部
７０…記憶部                              ７２…目標プロファイル処理部
７４…印刷プロファイル処理部              ７６…指定色調整用データ生成部
７９…模擬データ生成部                    ８０…プロファイル生成部
８２…指定色管理部                        ８４…カラーチャート条件設定部
８６…ガマット内外判定部                  ９０…変動範囲予測部
９２…パッチ個数決定部                    ９４…色間隔決定部
１００、１３０、１６０、２００…設定画面  １１４…カラーホイール
１３４…表示欄                            １６２、２０２…パッチ選択画像
１８０、２１６…マトリクス画像
１９０、１９０ａ、１９０ｂ…ポインタ      ２０４、２０６…スライダバー
【図１】
2011114717.tif 000003
【図２】
2011114717.tif 000004
【図３】
2011114717.tif 000005
【図４】
2011114717.tif 000006
【図５】
2011114717.tif 000007
【図６】
2011114717.tif 000008
【図７】
2011114717.tif 000009
【図８】
2011114717.tif 000010
【図９】
2011114717.tif 000011
【図１０】
2011114717.tif 000012
【図１１】
2011114717.tif 000013
【図１２】
2011114717.tif 000014
【図１３】
2011114717.tif 000015
【図１４】
2011114717.tif 000016
【図１５】
2011114717.tif 000017